(57)【要約】    【課題】  ピストンの往復動により作動ガスを圧縮し冷凍を発生する蓄冷型冷凍機を備えた保冷容器であって、冷凍機の運転を停止しても保冷容器内の急激な温度上昇が抑制できると共に省エネルギー効果の大きな冷凍機ユニット付き保冷容器を提供すること。    【解決手段】  スターリング冷凍機５０により冷却される冷凍機ユニット付き保冷容器保冷容器１であって、スターリング冷凍機５０は、放熱用のファン３１によって吸引した空気が通過する放熱フィン２５を冷凍機５０の放熱部５２に熱接触させると共に、保冷容器本体１０に設けた循環用のファン３２で冷凍機５０の冷却部５４に設けた伝熱部材２０に庫内空気を循環させて冷却する。スターリング冷凍機５０の運転停止の際、スターリング冷凍機５０と循環用のファン３２とを運転停止するが、放熱用のファン３１は所定時間運転を継続する。【選択図】  図２
2010196910.tif 000002
【特許請求の範囲】
【請求項１】
保冷室を有する保冷容器本体と、
ピストンの往復動により作動ガスを圧縮する圧縮部と、作動ガスの圧縮によって生じた熱を放熱する放熱部と、作動ガスと熱交換する蓄冷部と、前記保冷室を冷却する冷却部と、作動ガスが膨張する膨張部とから構成される蓄冷型冷凍機と、
前記放熱部から熱を排熱する排熱手段とを備え、
前記蓄冷型冷凍機の運転を停止してから所定の時間経過後に、前記排熱手段の作動を停止する、ことを特徴とする冷凍機ユニット付き保冷容器。
【請求項２】
前記蓄冷型冷凍機は、膨張側シリンダに往復動可能に挿設したディスプレーサピストン又は膨張ピストンと前記膨張側シリンダとで前記膨張側シリンダの低温側に前記膨張部を形成するスターリング冷凍機、又は、パルス管と前記パルス管の高温側に連通する位相調整手段とを備え前記パルス管の低温側に前記膨張部を形成するスターリング型パルス管冷凍機のいずれか一方の冷凍機である、ことを特徴とする請求項１に記載の冷凍機ユニット付き保冷容器。
【請求項３】
前記排熱手段は、前記放熱部に熱接触した熱交換器に空気を流通させるファンである、ことを特徴とする請求項１又は２に記載の冷凍機ユニット付き保冷容器。
【請求項４】
前記放熱部と、前記熱交換器と、前記熱交換器から排出される空気と、前記圧縮部と、前記蓄冷器の大気温度より高い高温側の少なくともいずれか一ヶ所の温度を測定する温度検出手段と、前記大気温度を測定する温度検出手段とを備え、
前記放熱部と、前記熱交換器と、前記熱交換器から排出される空気と、前記圧縮部と、前記蓄冷器の前記高温側のいずれか一ヶ所の温度と、前記大気温度との温度差が所定範囲に入ると前記ファンの作動を停止する、ことを特徴とする請求項３に記載の冷凍機ユニット付き保冷容器。
【請求項５】
前記蓄冷型冷凍機は、間欠運転される、ことを特徴とする請求項１乃至４の少なくともいずれか１項に記載の冷凍機ユニット付き保冷容器。
【発明の詳細な説明】
【技術分野】
【０００１】
本発明は、スターリング冷凍機あるいはスターリング型パルス管冷凍機等の蓄冷型冷凍機を使用して保冷容器内を冷却する冷凍機ユニット付き保冷容器に関する。
【背景技術】
【０００２】
従来技術の冷凍機ユニット付き保冷容器として、スターリング冷凍機を備えた冷却庫であって、スターリング冷凍機のウォームヘッドの温度Ｔｈが第１の基準温度Ｔｈ１を超えた場合は、放熱ファンの回転を最大にし、循環ポンプの出力を最大にし、それでもウォームヘッドの温度Ｔｈが第２の基準温度Ｔｈ２を超えた場合に、スターリング冷凍機を停止させる冷却庫が開示されている（例えば、特許文献１参照。）。
【０００３】
また、保冷庫は、上側が開口部を有する断熱容器と、開口部に第一の開口部と第二の開口部を有する日の字形状の枠と、第一の開口部を覆うように枠に対し開閉自在に取付けた主蓋体と、第二の開口部を覆うように冷却サブユニットを取付けた副蓋体を備える冷却ユニットとから構成される。冷却サブユニットは、スターリング冷凍機と、スターリング冷凍機の排熱部に固着し圧縮熱を排熱する排熱用ヒートシンクと、排熱用ヒートシンクを空冷するためのファンと、スターリング冷凍機を収納すると共にファンを支持するケーシングと、スターリング冷凍機とケーシングを支持し副蓋体に設けた基部から構成される。そして、スターリング冷凍機の吸熱部は、基部から突出し断熱容器の庫内に配置されると共に吸熱用ヒートシンクが固着され、吸熱用ヒートシンクに設けたファンで庫内空気を吸熱用ヒートシンクに流し強制循環させて庫内を冷却する保冷庫が開示されている。（例えば、特許文献２参照。）。
【先行技術文献】
【特許文献】
【０００４】
【特許文献１】特開２００６−３８３８４号公報
【特許文献２】特開２００６−９０６６５号公報
【発明の概要】
【発明が解決しようとする課題】
【０００５】
しかしながら、特許文献１によれば、スターリング冷凍機のウォームヘッドの温度Ｔｈが第２の基準温度Ｔｈ２を超えた場合は、スターリング冷凍機を停止させ、停止後、ウォームヘッド（放熱部）の温度上昇を制御することなく放置している。このため冷凍機を停止すると、冷凍機運転時、作動ガスの圧縮で生じ残存した熱によりウォームヘッドの温度が急上昇し、ウォームヘッドから蓄冷器と、膨張シリンダと、ディスプレーサピストン及び作動ガスを伝わってコールドヘッド（冷却部）に圧縮で生じ残存した熱が侵入する。この侵入熱により、コールドヘッドの温度が急上昇して庫内温度を上昇させる問題がある。
【０００６】
また、特許文献２によれば、スターリング冷凍機が連続運転中では、圧縮部の熱は排熱部（放熱部）に設けた排熱用ヒートシンクをファンによって吸引される空気で冷却する。冷凍機を停止するとファンも同時に停止されるので、特許文献１と同じように吸熱部（冷却部）の温度が急上昇し、庫内温度も上昇する問題がある。
【０００７】
また、特許文献１及び２に於いて、スターリング冷凍機の運転を停止すると庫内あるいは保冷容器の温度が急上昇するため、庫内の例えば魚肉などの被冷却物の温度が短時間で所定の温度範囲より高くなるため冷凍機の間欠運転による冷却が出来なくなる。このため、被冷却物が所定の温度範以下の過冷却状態になっても冷凍機を継続して運転しなければならず、省エネルギー効果が低い問題がある。
【０００８】
本発明は上記問題点に鑑みてなされたものであり、ピストンの往復動により作動ガスを圧縮し冷凍を発生するスターリング冷凍機あるいはスターリング型パルス管冷凍機等の蓄冷型冷凍機を備えた保冷容器であって、冷凍機の運転を停止しても保冷容器内の急激な温度上昇が抑制できると共に間欠運転しつつ庫内を所定の温度範囲に安定に維持することにより省エネルギー効果の大きな冷凍機ユニット付き保冷容器を提供することを目的とする。
【課題を解決するための手段】
【０００９】
上記課題を解決するため、請求項１に記載の発明は、保冷室を有する保冷容器本体と、ピストンの往復動により作動ガスを圧縮する圧縮部と、作動ガスの圧縮によって生じた熱を放熱する放熱部と、作動ガスと熱交換する蓄冷部と、保冷室を冷却する冷却部と、作動ガスが膨張する膨張部とから構成される蓄冷型冷凍機と、放熱部から熱を排熱する排熱手段とを備え、蓄冷型冷凍機の運転を停止してから所定の時間経過後に、排熱手段の作動を停止する。
【００１０】
また、請求項２に記載の発明は、蓄冷型冷凍機は、膨張側シリンダに往復動可能に挿設したディスプレーサピストン又は膨張ピストンと膨張側シリンダとで膨張側シリンダの低温側に膨張部を形成するスターリング冷凍機、又は、パルス管とパルス管の高温側に連通する位相調整手段とを備えパルス管の低温側に膨張部を形成するスターリング型パルス管冷凍機のいずれか一方の冷凍機である。
【００１１】
また、請求項３に記載の発明は、排熱手段は、放熱部に熱接触した熱交換器に空気を流通させるファンである。
【００１２】
また、請求項４に記載の発明は、放熱部と、熱交換器と、熱交換器から排出される空気と、圧縮部と、蓄冷器の大気温度より高い高温側の少なくともいずれか一ヶ所の温度を測定する温度検出手段と、大気温度を測定する温度検出手段とを備え、放熱部と、熱交換器と、熱交換器から排出される空気と、圧縮部と、蓄冷器の高温側のいずれか一ヶ所の温度と、大気温度との温度差が所定範囲に入るとファンの作動を停止する。
【００１３】
また、請求項５に記載の発明は、蓄冷型冷凍機は、間欠運転される。
【発明の効果】
【００１４】
請求項１に記載の発明では、蓄冷型冷凍機の運転を停止してから所定の時間経過後に、排熱手段を停止するので、作動ガスの圧縮で生じた残存している熱は、排熱手段により蓄冷型冷凍機の放熱部から排熱される。これにより、放熱部の温度は急上昇することなく徐々に降下し、放熱部から冷却部に熱伝導で侵入する熱が減少するので、冷却部の急激な温度上昇が抑制されて保冷容器内も急激な温度上昇が抑制される。
【００１５】
また、蓄冷型冷凍機の運転を停止しても保冷容器内は急激な温度上昇が抑制され、蓄冷型冷凍機を間欠運転して保冷容器内を長時間、所定の低い温度範囲に保持できる。結果、省エネルギー効果の大きな冷凍機ユニット付き保冷容器を提供できる。
【００１６】
また、請求項２に記載の発明では、蓄冷型冷凍機であるスターリング冷凍機又はスターリング型パルス管冷凍機の運転を停止しても、作動ガスの圧縮で生じた残存している熱は、排熱手段により放熱部から排熱され、保冷容器内は急激な温度上昇が抑制される。
【００１７】
また、スターリング冷凍機又はスターリング型パルス管冷凍機の運転を停止しても保冷容器内は急激な温度上昇が抑制されるので、冷凍機を間欠運転する際に運転停止時間を十分取れる。従って、保冷容器内を長時間、所定の低い温度範囲に保持できると共に、スターリング冷凍機及びスターリング型パルス管冷凍機は効率が高いので、冷凍機ユニット付き保冷容器の省エネルギー効果が向上する。
【００１８】
また、請求項３に記載の発明では、放熱部はファンで吸引される大気あるいは圧送される大気により、作動ガスの圧縮で生じた残存している熱が放熱部に熱接触した熱交換から排熱される。これにより、放熱部の温度の急上昇が抑制され、放熱部から冷却部に熱伝導で侵入する熱が減少するので、冷却部は急激な温度上昇が抑制性されて保冷容器内も急激な温度上昇が抑制性される。また、蓄冷型冷凍機を間欠運転して保冷容器内を長時間、所定の低い温度範囲に保持でき、省エネルギー効果の大きな冷凍機ユニット付き保冷容器を提供できる。更には、排熱手段にファンを使用するので、構成が簡素でコストも安価になる。
【００１９】
また、請求項４に記載の発明では、放熱部と、熱交換器と、熱交換器から排出される空気と、圧縮部と、蓄冷器の大気温度より高い高温側のいずれか一ヶ所の温度と、大気との温度差が所定範囲に入るとファンの作動を停止する。これにより、大気の温度が変化してもファンを適正なタイミングで停止でき、保冷容器内の急激な温度上昇抑制される。また、冷凍機を間欠運転する場合も、ファン停止のタイミングが適正であるので、冷凍機ユニット付き保冷容器の省エネルギー効果が向上する。
【００２０】
また、請求項５に記載の発明では、蓄冷型冷凍機は間欠運転しつつ保冷容器内及び保冷容器内の被冷却物（例えば魚肉などの生鮮食物）を長時間、所定の低い温度範囲に保持できる。結果、省エネルギー効果の大きな冷凍機ユニット付き保冷容器を提供できる。
【図面の簡単な説明】
【００２１】
【図１】本発明の実施例１に係る冷凍機ユニット付き保冷容器の斜視図である。
【図２】図１のＡＡ断面に於ける冷凍機ユニット付き保冷容器の説明図である。
【図３】図１のスターリング冷凍機の説明図である。
【図４】図１のスターリング冷凍機と放熱用のファン及び庫内の循環用のファンの運転パターン図である。
【図５】従来技術の冷凍機ユニット付き保冷容器の各部の測定温度を示す図である。
【図６】本発明の冷凍機ユニット付き保冷容器の各部の予想温度を示す図である
【図７】本発明の冷凍機ユニット付き保冷容器に備えるスターリング型パルス管冷凍機の説明図である。
【図８】本発明の実施例２に係る冷凍機ユニット付き保冷容器の部分拡大説明図である。
【発明を実施するための形態】
【００２２】
以下に本発明の実施の形態について、図面を参照しつつ詳細に説明する。
【実施例１】
【００２３】
図１は、本発明の実施例１に係る冷凍機ユニット付き保冷容器の斜視図である。図２は、図１のＡＡ断面に於ける冷凍機ユニット付き保冷容器の説明図である。図２に示すように、冷凍機ユニット付き保冷容器１は、保冷容器本体１０と、スターリング冷凍機５０（蓄冷型冷凍機）と、伝熱フィン２１を有する伝熱部材２０と、放熱フィン２５（熱交換器）と、放熱用のファン３１（排熱手段）と、庫内の循環用のファン３２と、制御装置４０とから構成される。
【００２４】
保冷容器本体１０は直方体形状のボックス（図１）で、上面に開閉可能な蓋１２と、被
冷却物（図示せず）を貯蔵する庫内１３（保冷室）と、スターリング冷凍機５０を収納する機械室１６と、制御装置４０を収納する電気室１７とを備える。庫内１３は、真空断熱材等の断熱性の高い断熱材からなる断熱壁１１と、断熱壁１１と同じ断熱材からなる蓋１２とで包囲して形成される。断熱壁１１は、壁部材１１ａ〜１１ｆ及び断熱壁１４の一部とから構成される。機械室１６は、断熱壁１１の壁部材１１ｃ、１１ｄ、１１ｅ、１１ｆと、断熱壁１４、１５とで包囲して形成され、壁部材１１ｄを介在して庫内１３に隣接する。
【００２５】
スターリング冷凍機５０は、放熱部５２に熱接触した放熱フィン２５を壁部材１１ｄと断熱壁１４に固定して機械室１６に配置される。そして、冷却部５４は壁部材１１ｃを境に庫内１３の窪み部１３ａに放熱部５２に対し下方になるよう配置される。
【００２６】
放熱用のファン３１は断熱壁１４に設けた孔１４ａに配置される。放熱用のファン３１によって吸引される空気は、断熱壁１４に設けた吸気口１４ｂから吸入され、放熱フィン２５を通過し機械室１６から放熱用のファン３１により大気へ放出される（図1の太実線矢印）。
【００２７】
冷却部５４には、伝熱部材２０が固着される。伝熱部材２０は、冷却部５４の下部から庫内１３側に水平に延在し突出するブロック２２と、延在先端側から起立する多数枚の伝熱フィン２１とからなる。伝熱フィン２１の上方の庫内１３に、循環用のファン３２が設けられる。循環用のファン３２は、図1の太破線矢印に示すように庫内１３の空気を循環させ伝熱フィン２１と被冷却物（図示せず）との熱交換を良好にする。
【００２８】
制御装置４０は断熱壁１５に設けた電気室１７に配置され、スターリング冷凍機５０と、放熱用のファン３１と、循環用のファン３２と、コネクター４５とは、それぞれ配線４１、４２、４３、４４を介して制御装置４０に接続される。コネクター４５は、冷凍機ユニット付き保冷容器１の外部に設けられ、電源（図示せず）に接続される。
【００２９】
図３は、図１のスターリング冷凍機の説明図である。図３に示すように、スターリング冷凍機５０は、順次、圧縮部５１と、放熱部５２と、蓄冷部５３と、冷却部５４と、膨張部５５とを連通し構成され、作動ガスとしてヘリウムが充填される。圧縮部５１は、圧縮ピストン５６（ピストン）と、ディスプレーサピストン５７（ピストン）及びロッド６０と、圧縮シリンダ５８と、ディスプレーサシリンダ５９に包囲され形成される。圧縮ピストン５６はリニアモータ（図示せず）に接続されと共にロッド６０が貫通し、ディスプレーサピストン５７はロッド６０を介し弾性機能と支持機能を有するフレクシャーベアリング（図示せず）に接続される。膨張部５５は、ディスプレーサピストン５７と、ディスプレーサシリンダ５９（膨張側シリンダ）と、ケース６１のヘッド部６１ａに包囲され形成される。
【００３０】
放熱部５２はケース６１の上側円筒部６１ｂの内周面に、例えば銅等の薄い波板を円筒形状に曲げたフィン部材５２ａを固着して構成される。同じように、冷却部５４もケース６１の下側円筒部６１ｃの内周面に、例えば銅等の薄い波板を円筒形状に曲げたフィン部材５４ａを固着して構成される。前述したように、放熱部５２の外周面、即ち、上側円筒部６１ｂの外周面に放熱フィン２５が固着され、冷却部５４の外周面、即ち、下側円筒部６１ｃの外周面に伝熱部材２０が固着される。蓄冷部５３は、上側円筒部６１ｂと下側円筒部６１ｃの間のケース６１の中間部６１ｄの内側に蓄冷材エレメント５３ａを充填することにより構成される。これにより、往復流動するヘリウムと蓄冷材エレメント５３ａとが熱交換する。
【００３１】
尚、スターリング冷凍機５０はディスプレーサピストン５７を備え、ディスプレーサピストン５７の前面５７ａ側が膨張ピストンとして機能し背面５７ｂ側が圧縮ピストンとして機能するディスプレーサ型のスターリング冷凍機であるが、ディスプレーサピストン５７を膨張ピストン（図示せず）に代えた膨張ピストン型のスターリング冷凍機でも良い。この場合、膨張ピストンの前面側は膨張ピストンとして機能し、背面側は略一定の作動ガス圧が作用し、そして膨張ピストンはリニアモータ等の駆動手段に接続される。
【００３２】
次に、本発明の実施例１の冷凍機ユニット付き保冷容器１の作動と効果について説明する。図４は、図１のスターリング冷凍機と放熱用のファン及び庫内の循環用のファンの運転パターン図で、運転パターンは事前に制御装置４０にプログラムされている。図中、（ａ）はスターリング冷凍機５０の運転状況、（ｂ）は放熱用のファン３１の運転状況、（ｃ）循環用のファン３２の運転状況を示す。尚、下記説明の空気は放熱用のファン３１により放熱フィン２５を通過する流れであり、下記説明の大気は冷凍機ユニット付き保冷容器１周辺の淀み空気である。図４に示すように、時間ｔ１でスターリング冷凍機５０と、放熱用のファン３１と、循環用のファン３２とが同時に運転開始される。そして、圧縮ピストン５６と、ディスプレーサピストン５７の往復動により圧縮部５１でヘリウムが圧縮されることにより圧縮熱が発生する。この圧縮熱は放熱部５２から放熱フィン２５を介在して放熱用のファン３１によって吸気口１４ｂから吸引された空気に伝達され、機械室１６を通過して放熱用のファン３１より大気に放出される。一方、冷却部５４は、膨張部５５で膨張し低い温度（例えば、略−２５℃）なったヘリウムが冷却部５４を通過する際、伝熱部材２０を冷却する。そして循環用のファン３２で庫内空気を強制循環させることにより、冷却された伝熱部材２０の伝熱フィン２１（例えば略−２２℃）に庫内空気を通過させる。これにより強制循環空気が冷却され、庫内１３及び庫内１３の被冷却物（図示せず）は、低い温度（例えば、略−１８℃）に冷却される。
【００３３】
時間ｔ２（図４（ａ）、（ｃ））に至ると、スターリング冷凍機５０の運転と循環用のファン３２の運転が同時に停止されるが、放熱用のファン３１は継続して時間ｔ３（図４（ｂ））まで運転される。スターリング冷凍機５０が運転停止されると、ヘリウムの圧縮で生じた残存している熱は、放熱部５２で放熱フィン２５を通過する放熱用のファン３１により吸引される空気で排熱される。従って、スターリング冷凍機５０の運転停止直後に放熱部５２の急激な温度上昇は起こらず、徐々に温度が降下して時間ｔ３で温度が略大気温度に至る。これにより、放熱部５２の温度の急上昇が抑制され、放熱部から蓄冷部５３（ケース６１の中間部６１ｄと、蓄冷材エレメント５３ａ）と、ディスプレーサシリンダ５９と、ディスプレーサピストン５７と、ヘリウムとを介在して熱伝導で冷却部５４に侵入する熱は減少し、冷却部５４の急激な温度上昇が抑制される。結果、伝熱部材２０のブロック２２と伝熱フィン２１を介在して伝熱フィン２１を通過する庫内１３の循環用のファン３２による循環空気に伝達される熱（圧縮で生じた残存している熱）も抑制される。従って、保冷容器本体１０の庫内１３及び被冷却物も急激な温度上昇が抑制される。
【００３４】
また、上述の冷却部５４の急激な温度上昇が抑制されることにより、スターリング冷凍機５０を間欠運転しても庫内１３の温度を所定の低い温度範囲に長時間保持することが可能になる。これにより、スターリング冷凍機５０を間欠運転しつつ保冷容器本体１０内及び保冷容器本体１０内の被冷却物（例えば魚肉などの生鮮食物）を長時間、所定の低い温度範囲に保持できる。結果、省エネルギー効果の大きな冷凍機ユニット付き保冷容器１を提供できる。さらに、スターリング冷凍機５０は効率が高いので、冷凍機ユニット付き保冷容器１の省エネルギー効果は向上する。尚、間欠運転の冷凍機の運転停止と、冷凍の運転再開は、事前に制御装置にプログラムし、このプログラムに基づき間欠運転する。又は、保冷容器本体１０内に温度センサ（図示せず）を配備し、庫内１３の温度が所定温度以下になるとスターリング冷凍機５０と循環用のファン３２の運転を停止し、所定温度以上になるとスターリング冷凍機５０と循環用のファン３２の運転を再開する間欠運転を行う。いずれの間欠運転でも良い。
【００３５】
また、排熱手段とし放熱用のファン３１を使用することにより、特別な装置を追加することなく排熱手段は構成が簡素でコストも安価になる。
【００３６】
図５は、従来技術の冷凍機ユニット付き保冷容器の各部の温度の実測値を示す図である。図６は、本実施例の冷凍機ユニット付き保冷容器の各部の想定温度を示す図である。表１は、スターリング冷凍機５０停止後、１７３分経過した時点（図５、図６）に於ける本実施例と従来技術の各部の温度上昇の比較表である。
【表１】
2010196910.tif 000003
【００３７】
図５、６に示すように、スターリング冷凍機５０を始動し時間略３０７分時点で冷凍機を停止する。この時点に於ける従来技術の庫内中央の温度測定値は−２０℃、本実施例における庫内中央の予想温度は−１８．７℃である。図５の従来技術では冷凍機停止と共に同時に放熱用のファン３１と循環用のファン３２を停止する。図６の本実施例は冷凍機停止と共に循環用のファン３２を停止するが、放熱用のファン３１は運転を継続する。そして、冷凍機停止後１７３分経過時点（図５、６の時間４８０分時点）の各部の温度上昇の本実施例と従来技術は表１のようになる。表１に示すように、従来技術と本実施例の各部の上昇部の温度差（ΔＴ１−ΔＴ２）は、冷却部５４が６．３℃、伝熱フィン２１が５．８℃、 循環用のファン３２の出口が７．４℃、 庫内１３の中央が２．６℃といずれも本実施例の方が従来技術より低い。従って、スターリング冷凍機５０と循環用のファン３２は停止、放熱フィン２５は運転を継続することで、保冷容器本体１０の各部の温度は低い温度を長い時間保持できることが判る。
【００３８】
尚、本実施例の冷凍機ユニット付き保冷容器１に使用している蓄冷型冷凍機は、ディスプレーサシリンダ５９とディスプレーサピストン５７を備えたスターリング冷凍機５０であるが、ディスプレーサシリンダ５９とディスプレーサピストン５７の代わりパルス管と位相調整手段を使用したスターリング型パルス管冷凍機でも良い。即ち、図７に示すように、スターリング型パルス管冷凍機７０（蓄冷型冷凍機）は、順次、圧縮機８０の圧縮部８１と、放熱部７２と、蓄冷部７３と、冷却部７４と、パルス管９０の低温側に形成される膨張部９１とを連通して構成される。
【００３９】
圧縮機８０は、シリンダ８２と、シリンダ８２に挿設した対向配備した一対の圧縮ピストン８３（ピストン）と、圧縮ピストン８３（ピストン）を往復動させるリニアモータ８４と、圧縮ピストン８３とリニアモータ８４を連結するロッド８５と、ロッド８５の両端側に設けられ弾性支持機能を有するフレクシャーベアリング８６とから構成される。そして、シリンダ８２と一対の圧縮ピストン８３に包囲され圧縮部８１が形成される。
【００４０】
パルス管９０には、パルス管９０内で往復動するガスピストン９２（図７において二点鎖線で示される）が形成される。パルス管９０とガスピストン９２とでパルス管９０の低温側には、膨張部９１が形成される。パルス管９０の高温端には放熱器９３を介し位相調整手段９４が接続される。位相調整手段９４は、バッファタンク９６と長尺の管からなるイナータンスチューブ９５を備え、位相調整手段９４はガスピストン９２を圧縮ピストン８３より位相が略９０度進むように作用する。これにより圧縮部８１と膨張部９１は、それぞれ図３のスターリング冷凍機５０の圧縮部５１、膨張部５５と同じように作用し、ヘリウムを圧縮部８１で圧縮し、膨張部９１で膨張することにより冷却する。そしてファンなどの排熱手段により、圧縮部８１で発生した圧縮熱及び膨張部９１の膨張仕事よる圧縮熱は、それぞれ放熱部７２、放熱器９３に熱接触する放熱フィン(図示せず)を介し放熱される。冷却部７４は、冷却部７４に熱接触する伝熱部材の伝熱フィンを介し膨張部９１で発生した冷凍で保冷容器本体１０（図１）内を冷却する（図示せず）。また、スターリング型パルス管冷凍機７０は、スターリング冷凍機５０と同様に効率が高い。以上により、スターリング型パルス管冷凍機７０を使用した冷凍機ユニット付き保冷容器も、スターリング冷凍機５０を使用した冷凍機ユニット付き保冷容器１と同じ効果を生じる。
【００４１】
尚、放熱器９３は、パルス管９０の高温端側の外周面を放熱器にしても良い。この場合、位相調整手段９４はパルス管９０の高温端に接続される。
【００４２】
尚、実施例１では、冷凍機ユニット付き保冷容器１の運転停止時、スターリング冷凍機５０の運転と循環用のファン３２の運転を同時に停止し、放熱用のファン３１は継続して運転するが、スターリング冷凍機５０の運転を停止し、循環用のファン３２と、放熱用のファン３１は運転を継続しても良い。この場合、循環用のファン３２の停止は、放熱用のファン３１の運転停止より早く停止される。即ち、スターリング冷凍機５０の運転停止直後は、吸熱部５４と伝熱部材２０は庫内温度より低い。この時に循環用のファン３２で空気を強制循環し、循環空気と伝熱フィン２１との間と、循環空気と保冷容器本体１０および被冷却物との間の熱伝達を良好して、庫内空気と保冷容器本体１０および被冷却物を冷却する。これにより、膨張部５５で発生した冷熱を有効に活用できる。そして、庫内温度が伝熱部材２０より高くなった時点で、庫内１３の空気の熱伝達を低下させて庫内温度の急上昇を抑制するために循環用のファン３２を停止させる。循環用のファン３２の停止時点では、圧縮で生じ熱は、まだ圧縮部５１と、放熱部５２と、放熱フィン２５と、蓄冷部５３の高温側とに残存しているので放熱用のファン３１は運転を継続される。
【実施例２】
【００４３】
図８は、本発明の実施例２に係る冷凍機ユニット付き保冷容器の部分拡大説明図である。図２の冷凍機ユニット付き保冷容器１と同じ部位、同じ部品は同じ符号を付す。図８に示すように、冷凍機ユニット付き保冷容器２は放熱フィン２５と、保冷容器本体１０の外面とにそれぞれ温度センサ４６、４７（温度検出手段）を設け、温度センサ４６、４７をそれぞれ配線４８、４９介し制御装置４０に接続する。他の構成は、図１の冷凍機ユニット付き保冷容器１と同じである。
【００４４】
放熱フィン２５に設けた温度センサ４６は放熱フィン２５の温度を計測し、保冷容器本体１０の外面に設けた温度センサ４７は大気の温度を計測する。そして、冷凍機ユニット付き保冷容器２の運転を停止する場合、冷凍機ユニット付き保冷容器１と同じように、スターリング冷凍機５０の運転と循環用のファン３２の運転が同時に停止され、放熱用のファン３１は継続して運転される。そして、大気温度が変化しても放熱用のファン３１は放熱フィン２５と大気との温度差が所定範囲に入ると停止されるので、庫内１３の急激な温度上昇の抑制が向上する。また、スターリング冷凍機５０を間欠運転する場合も、冷放熱用のファン３１の運転停止のタイミングが適正であるので、冷凍機ユニット付き保冷容器２の省エネルギー効果が向上する。他の効果は、図１の、冷凍機ユニット付き保冷容器１と同じである。
【００４５】
尚、実施例２では放熱フィン２５と大気との温度差が所定範囲に入るとファン３１の作動を停止するが、放熱部５２と、放熱フィン２５から排出される空気と、圧縮部５１と、高い蓄冷器５３の大気温度より高い高温側の少なくともいずれか一ヶ所の温度測定値と、大気温度の測定値との温度差が所定範囲に入るとファン３１の作動を停止しても良い。また、温度センサ４７は、放熱フィン２５に流入する空気の温度を測定しても良い。
【産業上の利用可能性】
【００４６】
本発明に係わる冷凍機ユニット付き保冷容器は、生鮮食品等を貯蔵するクーラボックス等に利用される。
【符号の説明】
【００４７】
１、２  冷凍機ユニット付き保冷容器
１０  保冷容器本体
１３  庫内（保冷室）
２５  放熱フィン（熱交換器）
３１  ファン（排熱手段）
４６、４７  温度センサ（温度検出手段）
５０  スターリング冷凍機（蓄冷型冷凍機）
５１、８１  圧縮部
５２、７２、９３  放熱部
５３、７３  蓄冷部
５４、７４  冷却部
５５、９１  膨張部
５６、８３  圧縮ピストン（ピストン）
５７  ディスプレーサピストン（ピストン）
５９  ディスプレーサシリンダ（膨張側シリンダ）
７０  スターリング型パルス管冷凍機（蓄冷型冷凍機）
９０  パルス管
９４  位相調整手段
【図１】
2010196910.tif 000004
【図２】
2010196910.tif 000005
【図３】
2010196910.tif 000006
【図４】
2010196910.tif 000007
【図５】
2010196910.tif 000008
【図６】
2010196910.tif 000009
【図７】
2010196910.tif 000010
【図８】
2010196910.tif 000011